(57)【要約】【課題】信頼性を向上する。【解決手段】小切手処理装置１は、搬送路Ｗにおける搬送路中央Ｗｃ又はスキャナ部搬送路中央Ｗｓｃを搬送される小切手ＣＫの一面側をガイドする上流側搬送ガイドと、上流側搬送ガイドよりも小切手ＣＫの搬送方向の下流側に設けられ、搬送される小切手ＣＫの一面側をガイドする下流側搬送ガイドと、上流側搬送ガイド及び下流側搬送ガイドにより小切手ＣＫがガイドされないガイド隙間４２、５４若しくは７２、可動側爪凹部７８又は固定側爪凹部８２に設けられ、搬送路Ｗに突出し、搬送方向先端が搬送路中央Ｗｃ又はスキャナ部搬送路中央Ｗｓｃから下流側搬送ガイド側へ向かって変形した小切手ＣＫに当接する弾性部材とを設ける。【選択図】図６
2018162152.tif 000002
【特許請求の範囲】
【請求項１】
搬送路における搬送経路を搬送される媒体の一面側をガイドする上流側搬送ガイドと、
前記上流側搬送ガイドよりも前記媒体の搬送方向の下流側に設けられ、搬送される前記媒体の前記一面側をガイドする下流側搬送ガイドと、
前記上流側搬送ガイド及び前記下流側搬送ガイドにより前記媒体がガイドされない隙間に設けられ、前記搬送路に突出し、搬送方向先端が前記搬送経路から前記下流側搬送ガイド側へ向かって変形した前記媒体に当接する弾性部材と
を有する搬送ガイド連結部。
【請求項２】
前記弾性部材は、前記上流側搬送ガイド及び前記下流側搬送ガイドにおけるガイド面と前記搬送経路との間まで突出する
請求項１に記載の搬送ガイド連結部。
【請求項３】
前記下流側搬送ガイドは、前記上流側搬送ガイドとの間にガイド隙間を空けて設けられ、
前記弾性部材は、前記ガイド隙間に設けられる
請求項１に記載の搬送ガイド連結部。
【請求項４】
前記上流側搬送ガイドは、前記下流側搬送ガイドに向かって突出する上流側爪が櫛歯状に形成された上流側爪部が形成され、
前記下流側搬送ガイドは、前記上流側搬送ガイドに向かって突出する下流側爪が櫛歯状に形成された下流側爪部が形成され、
前記上流側搬送ガイド及び前記下流側搬送ガイドは、上流側爪部が下流側爪部に入り込まないように配される
請求項１に記載の搬送ガイド連結部。
【請求項５】
前記弾性部材は、前記上流側搬送ガイド側に設けられた上流側弾性部材と、前記下流側搬送ガイド側に設けられた下流側弾性部材と
を有する請求項４に記載の搬送ガイド連結部。
【請求項６】
前記上流側弾性部材は、隣り合う前記上流側爪同士の隙間において互いに独立して設けられ、
前記下流側弾性部材は、隣り合う前記下流側爪同士の隙間において互いに独立して設けられる
請求項５に記載の搬送ガイド連結部。
【請求項７】
前記下流側搬送ガイドは、前記上流側搬送ガイドに対し前記搬送方向と前記媒体の紙面に直交する厚み方向とに直交する搬送幅方向に移動可能であり、
前記下流側弾性部材は、前記下流側搬送ガイドと共に移動する
請求項６に記載の搬送ガイド連結部。
【請求項８】
前記下流側搬送ガイドには、前記下流側搬送ガイドと共に前記搬送幅方向に移動し、前記媒体の磁気を検知する磁気センサが設けられる
請求項７に記載の搬送ガイド連結部。
【請求項９】
前記弾性部材は、前記搬送路に垂直な方向よりも互いに近接するよう傾斜して前記ガイド隙間に向かって突出する
請求項５に記載の搬送ガイド連結部。
【請求項１０】
前記下流側搬送ガイドは、前記媒体の搬送方向に対向する方向と、前記媒体の紙面に対向する方向とを含む方向に法線が向く傾斜面を有し、
前記上流側搬送ガイドは、前記媒体の搬送方向に対向する方向と、前記媒体の紙面に対向する方向とを含む方向に法線が向く傾斜面を有する
請求項１に記載の搬送ガイド連結部。
【請求項１１】
前記弾性部材は、前記搬送経路に向かって突出するブラシである
請求項１に記載の搬送ガイド連結部。
【発明の詳細な説明】
【技術分野】
【０００１】
本発明は搬送ガイド連結部に関し、例えば小切手や有価証券の入金機における搬送ガイドの連結部に適用して好適なものである。
【背景技術】
【０００２】
従来、図９に示すように、媒体の搬送ガイド９１ｆと搬送ガイド９１ｂとの連結部である搬送ガイド連結部３６８は、爪部９３ｆと、ガイド隙間９４を挟んで爪部９３ｆと対向する爪部９３ｂとを有している。爪部９３ｆは、媒体の搬送方向に沿って所定の長さを有する爪９２ｆが櫛歯状に形成されている。爪部９３ｂは、媒体の搬送方向に沿って所定の長さを有する爪９２ｂが櫛歯状に形成されている。搬送ガイド連結部３６８は、爪部９３ｆと爪部９３ｂとを互いに入り込んで遊嵌しつつ噛合した状態とすると共に、互いの爪９２ｆ及び９２ｂのエッジを搬送ガイド９１ｆ及び９１ｂのガイド面から媒体の厚み方向へ遠ざけることにより、媒体がガイド隙間９４に入り込んで引っ掛かってしまうことを防止しているものがあった（例えば、特許文献１参照）。
【先行技術文献】
【特許文献】
【０００３】
【特許文献１】特開２０１５−１５８７３０号公報
【発明の概要】
【発明が解決しようとする課題】
【０００４】
このような搬送ガイド連結部においては、より一層搬送ジャムを防止しつつ媒体を搬送することが望まれている。
【０００５】
本発明は以上の点を考慮してなされたもので、信頼性を向上し得る搬送ガイド連結部を提案しようとするものである。
【課題を解決するための手段】
【０００６】
かかる課題を解決するため本発明の搬送ガイド連結部においては、搬送路における搬送経路を搬送される媒体の一面側をガイドする上流側搬送ガイドと、上流側搬送ガイドよりも媒体の搬送方向の下流側に設けられ、搬送される媒体の一面側をガイドする下流側搬送ガイドと、上流側搬送ガイド及び下流側搬送ガイドにより媒体がガイドされない隙間に設けられ、搬送路に突出し、搬送方向先端が搬送経路から下流側搬送ガイド側へ向かって変形した媒体に当接する弾性部材とを設けるようにした。
【０００７】
本発明は、搬送方向先端が隙間に進入してしまうことと搬送方向下流側の搬送ガイドに衝突してしまうこととを防止しつつ、媒体を搬送できる。
【発明の効果】
【０００８】
本発明によれば、搬送方向先端が隙間に進入してしまうことと搬送方向下流側の搬送ガイドに衝突してしまうこととを防止しつつ、媒体を搬送できる。かくして本発明は、信頼性を向上し得る搬送ガイド連結部を実現できる。
【図面の簡単な説明】
【０００９】
【図１】第１の実施の形態による小切手処理装置の構成を示す左側面図である。
【図２】小切手の構成を示す図である。
【図３】画像読取部の構成を示す左側面図である。
【図４】画像読取部における小切手の流れを示す左側面図である。
【図５】磁気文字読取部の構成を示し、（Ａ）は左側面図、（Ｂ）は（Ａ）におけるＸ−Ｘ矢視図である。
【図６】第１の実施の形態による搬送ガイド連結部の構成を示し、（Ａ）は平面図、（Ｂ）は左側面図である。
【図７】第２の実施の形態による搬送ガイド連結部の構成を示し、（Ａ）は平面図、（Ｂ）は左側面図、（Ｃ）は斜視図である。
【図８】第３の実施の形態による搬送ガイド連結部の構成を示す左側面図である。
【図９】従来の搬送ガイド連結部の構成を示す斜視図である。
【発明を実施するための形態】
【００１０】
以下、発明を実施するための形態（以下実施の形態とする）について、図面を用いて説明する。
【００１１】
［１．第１の実施の形態］
［１−１．小切手処理装置の構成］
図１に示すように小切手処理装置１は、例えば金融機関等に設置され、利用者（すなわち金融機関の顧客）との間で入金処理等の小切手に関する取引を行う小切手受付装置の受付機筐体（図示せず）内に配され、小切手に関する種々の処理を行う。この小切手処理装置１は、全体として直方体状に形成された筐体２の内部に、媒体としての小切手に関する種々の処理を行う複数の処理ユニットが組み込まれている。以下では、小切手処理装置１のうち顧客が対峙する側を前側とし、その反対を後側とし、当該前側に対峙した顧客から見て左及び右をそれぞれ左側及び右側とし、さらに上側及び下側を定義して説明する。
【００１２】
筐体２内には、小切手処理装置１を制御する制御部３と、利用者との間で小切手を授受するバンドル部１１と、小切手を各部へ搬送する搬送路Ｗと、小切手を所定の基準面へ幅寄せするアライナ部１３と、小切手の画像及び磁気情報を読み取ると共に取引情報の印字を行うスキャナ部１５と、小切手を一時的に収納するエスクロ部１７と、利用者がバンドル部１１から取り忘れた小切手を回収して格納するリトラクト部１８と、利用済みの小切手を収納する２個のスタッカ部２２（２２Ａ及び２２Ｂ）とが設けられている。また筐体２内には、バンドル部１１、アライナ部１３、スキャナ部１５、エスクロ部１７、リトラクト部１８及びスタッカ部２２を支える図示しないフレームが設けられている。
【００１３】
この小切手処理装置１は、制御部３により全体を統括的に制御する。この制御部３は、図示しないＣＰＵ（Central Processing Unit）を中心に構成されており、図示しないＲＯＭ（Read Only Memory）やフラッシュメモリ等から所定のプログラムを読み出して実行することにより、入金取引に関する種々の処理を行う。また制御部３は、内部にＲＡＭ（Random Access Memory）、ハードディスクドライブやフラッシュメモリ等でなる記憶部を有しており、この記憶部に各種プログラムや入金取引に関する種々の情報を記憶させている。また制御部３は、筐体２内部に設けられた各センサの監視や、各アクチュエータの駆動や、各種判断等を行うと共に、小切手受付装置全体を制御する主制御部との通信を行う。因みに小切手受付装置には、制御部３の制御に基づき利用者に向けて種々の情報を表示する表示部（図示せず）や、該利用者の操作指示を受け付けて該制御部３に通知する操作部（図示せず）等も設けられている。
【００１４】
搬送路Ｗは、第１搬送路Ｗ１、第２搬送路Ｗ２、第３搬送路Ｗ３、第４搬送路Ｗ４及び第５搬送路Ｗ５により構成されており、図中に実線で示すように筐体２内の各部を接続し、回転するローラや小切手を案内する搬送ガイド等が適宜配置されており、小切手の長手方向を進行方向に沿わせて搬送する。
【００１５】
ここで図２に示すように、小切手ＣＫは、長辺の長さが長辺長さＬ２、短辺の長さが短辺長さＬ３である長方形状の紙葉状の媒体であり、例えば国毎に複数種類のサイズが設定されている。また小切手ＣＫは、磁気インク文字認識（ＭＩＣＲ（Magnetic ink character recognition）文字）である磁気文字ＭＩＣＲが印刷されている。この磁気文字ＭＩＣＲは、小切手ＣＫ毎に固有の文字列であり、小切手ＣＫが識別されるために用いられる。またこの磁気文字ＭＩＣＲは、小切手ＣＫの一方の長辺である磁気文字側長辺ＭＳ寄りに配置され、小切手ＣＫの長手方向に沿う複数の文字により構成されている。磁気文字側長辺ＭＳから、磁気文字ＭＩＣＲにおける小切手ＣＫの短辺方向の中心までの距離は、磁気文字距離Ｌ１となっている。また、小切手ＣＫにおいて磁気文字側長辺ＭＳに平行な他方の長辺を磁気文字対向長辺ＭＳｏと呼ぶ。この磁気文字距離Ｌ１、長辺長さＬ２及び短辺長さＬ３は、規格により定められている。
【００１６】
筐体２の上部における前側約半分の部分には、バンドル部１１が配置されている。バンドル部１１の前端には、開閉可能なシャッタ１１Ｓが設けられている。制御部３は、上述した操作部（図示せず）を介して利用者から入金取引の開始を指示する操作を受け付けると、バンドル部１１に対しシャッタ１１Ｓを開放させるよう制御する。
【００１７】
これに応じてバンドル部１１は、利用者に対し束状に集積された小切手ＣＫ（以下これを小切手束ＣＫＢとも呼ぶ）を内部に挿入させ、その後シャッタ１１Ｓを閉塞することにより、内部に保有する小切手ＣＫを保護する。因みに小切手ＣＫは、長方形の紙により構成され、その表面に金額等の情報が表示されている。また小切手束ＣＫＢは、各小切手ＣＫの長辺を前後方向に沿った搬送方向に沿わせ、短辺を搬送方向に直交する左右方向である搬送幅方向に沿わせると共に、金額等が記載された表面を上に向けた姿勢で挿入される。
【００１８】
バンドル部１１は、内部に設けられた束搬送機構により前後方向に沿った束搬送路ＷＢを形成しており、小切手束ＣＫＢをこの束搬送路ＷＢに沿って後方向へ搬送し、該バンドル部１１の後端近傍に設けられた分離部１２の前側に到達させる。分離部１２は、小切手束ＣＫＢの上面側から小切手ＣＫを１枚ずつに分離し、後方のアライナ部１３に順次引き渡していく。
【００１９】
アライナ部１３は、主に前後方向に沿った搬送経路の後端に主に上下方向に沿った搬送経路の上端が接続された第１搬送路Ｗ１を内部に構成しており、分離部１２から受け取った小切手ＣＫをこの第１搬送路Ｗ１に沿って後方及び下方へ順次搬送する。このときアライナ部１３は、該小切手ＣＫを第１搬送路Ｗ１における幅方向の一方、例えば右側に寄せていき、下方に配置された第１切替部１４に引き渡す。
【００２０】
第１切替部１４は、制御部３の制御に基いて小切手ＣＫの搬送経路を切り替えることにより、上側の第１搬送路Ｗ１及び前側の第２搬送路Ｗ２を接続し、或いは前側の第２搬送路Ｗ２及び下側の第３搬送路Ｗ３を接続する。すなわち第１切替部１４は、アライナ部１３から小切手ＣＫが引き渡される場合、上側の第１搬送路Ｗ１及び前側の第２搬送路Ｗ２を接続し、この小切手ＣＫを前方のスキャナ部１５に引き渡す。
【００２１】
スキャナ部１５は、アライナ部１３のほぼ真下に位置しており、前後方向に沿った第２搬送路Ｗ２が内部に形成されている。このスキャナ部１５は、第１切替部１４から第２搬送路Ｗ２に沿って小切手ＣＫを前方へ搬送しながら、該小切手ＣＫからＭＩＣＲ（Magnetic ink character recognition）文字を読み取り、また該小切手ＣＫの両面をそれぞれ撮像して画像データを生成した上で、前下側に位置する第２切替部１６に引き渡す。第２切替部１６は、制御部３の制御により後上側及び前側を繋ぐように内部の搬送経路を切り替えており、スキャナ部１５から受け取った小切手ＣＫを前方のエスクロ部１７に引き渡す。
【００２２】
スキャナ部１５は、内部に複数種類のセンサが組み込まれており、搬送される小切手ＣＫの画像及び磁気情報を読み取りその読み取り結果を制御部３へ送出すると共に、小切手ＣＫに対し利用済みであることを表す裏書印字及びスタンプ押印等を行う。
【００２３】
具体的にスキャナ部１５内には、後側の後受渡口と前側の前受渡口との間を前後方向に沿って直線状に結ぶような、第２搬送路Ｗ２の一部であるスキャナ部搬送路Ｗｓが形成されており、このスキャナ部搬送路Ｗｓに沿って後側から順に、小切手ＣＫの磁気文字ＭＩＣＲを磁化させる永久磁石（図示せず）、磁気文字読取部トリガセンサ２８、磁気文字読取部３０、画像読取部３２及び取引情報印字部３４が配置されている。またスキャナ部１５内には、これらの各部の間に、図示しないスキャナ部モータにより駆動される搬送ローラが配置されている。
【００２４】
磁気文字読取部トリガセンサ２８は、スキャナ部１５における後受渡口の最近傍の搬送ローラの前方近傍に配置されている。磁気文字読取部トリガセンサ２８は、小切手ＣＫの搬送状態を検知して、その検知結果を制御部３へ送出する。制御部３は、磁気文字読取部トリガセンサ２８から供給された検知結果を基に、後受渡口を介してスキャナ部１５に小切手ＣＫが搬送されたか否かを認識する。
【００２５】
磁気文字読取部３０は、磁気文字読取部ヘッド３１を有している。磁気文字読取部ヘッド３１は、磁気センサでなり、スキャナ部搬送路Ｗｓ上を搬送される小切手ＣＫの磁気を検知し、その検知結果を制御部３へ送出する。
【００２６】
画像読取部３２は、スキャナ部搬送路Ｗｓを挟んで対向する例えばコンタクトイメージセンサ（ＣＩＳ：Contact Image Sensor）の撮像素子である裏面画像読取部３２Ｒ及び表面画像読取部３２Ｓを有している。画像読取部３２は、小切手ＣＫの両面をそれぞれ撮像して画像データを生成し、これらを制御部３へ送出する。
【００２７】
取引情報印字部３４は、スタンプ３５及びプリンタ３６により構成されており、小切手ＣＫに利用済みであることを示す取引情報を印字する。スタンプ３５は、スキャナ部搬送路Ｗｓの下側に配置されており、利用済みであることを表す取引情報を示すスタンプを小切手表面に押印する。プリンタ３６は、例えばインクジェットプリンタであり、スキャナ部搬送路Ｗｓの上側に配置されており、利用済みであることを表す取引情報を小切手裏面に印字する。
【００２８】
エスクロ部１７は、バンドル部１１のほぼ真下に配置されており、その内部に回転するドラムや該ドラムの周側面に巻き付けるテープ、及び小切手ＣＫを搬送するための搬送部等を有している。このエスクロ部１７は、第２切替部１６から受け取った小切手ＣＫをドラムの周側面近傍へ搬送し、テープと共にドラムの周側面に順次巻き付けることにより、該小切手ＣＫを一時的に保留していく。説明の都合上、ここまでの一連の処理を入金読取処理と呼ぶ。
【００２９】
制御部３は、バンドル部１１に挿入された全ての小切手ＣＫをスキャナ部１５により読み取り終えると、読み取った内容を表す画像や文字等を表示部（図示せず）に表示すると共に、利用者に入金取引を継続するか否かを問い合わせる。
【００３０】
ここで利用者から入金取引の中止が指示されると、制御部３は、エスクロ部１７に保留している全ての小切手ＣＫを利用者に返却させる返却処理を開始する。すなわちエスクロ部１７は、ドラムを逆回転させることにより保留していた小切手ＣＫを１枚ずつ繰り出し、第２切替部１６を介してスキャナ部１５に引き渡していく。スキャナ部１５、第１切替部１４及びアライナ部１３は、第２搬送路Ｗ２及び第１搬送路Ｗ１に沿って小切手ＣＫを入金読取処理と反対方向へ搬送することにより、該小切手ＣＫを分離部１２に順次引き渡す。
【００３１】
分離部１２は、引き渡された小切手ＣＫを前方へ放出することにより、バンドル部１１内に小切手ＣＫを集積していく。バンドル部１１は、分離部１２により小切手ＣＫが放出されて小切手束ＣＫＢが形成されると、シャッタ１１Ｓを開放すると共に集積された小切手ＣＫの束、すなわち小切手束ＣＫＢを束搬送路ＷＢに沿って前方へ搬送し、その前側部分を外部に露出させた状態で挟持する。
【００３２】
ここでバンドル部１１は、組み込まれたセンサにより小切手束ＣＫＢが取り出されたか否か監視している。制御部３は、バンドル部１１のセンサにより小切手束ＣＫＢが取り出されたことを検出した場合、該小切手束ＣＫＢが利用者に返却されたものと判断し、シャッタ１１Ｓを閉塞して返却処理を終了する。
【００３３】
一方、バンドル部１１において所定時間内に小切手束ＣＫＢが取り出されなかった場合、制御部３は、利用者が小切手束ＣＫＢを取り忘れたまま立ち去ったと判断し、この小切手束ＣＫＢを取り込む取忘取込処理を開始する。具体的に制御部３は、入金読取処理の場合と同様、バンドル部１１により小切手束ＣＫＢを後方へ搬送し、分離部１２により再び１枚ずつの小切手ＣＫに分離し、アライナ部１３、第１切替部１４及びスキャナ部１５により第１搬送路Ｗ１及び第２搬送路Ｗ２に沿って第２切替部１６まで搬送させる。
【００３４】
このとき第２切替部１６は、制御部３の制御により後上側及び後下側を繋ぐように内部の搬送経路を切り替えており、スキャナ部１５から受け取った小切手ＣＫを後下方のリトラクト部１８に引き渡す。リトラクト部１８は、スキャナ部１５のほぼ真下に配置されており、内部に小切手ＣＫを収納する収納空間を形成すると共に、小切手ＣＫをこの収納空間へ放出する放出機構を有している。このリトラクト部１８は、第２切替部１６から受け取った小切手ＣＫを放出機構により放出空間内へ順次放出し、該小切手ＣＫを該放出空間内に集積させた状態で収納する。これにより制御部３は、取忘取込処理を終了する。
【００３５】
一方制御部３は、入金読取処理によってエスクロ部１７に全ての小切手ＣＫを保留した状態で、利用者から入金取引の継続が指示されると、保留している小切手ＣＫを収納する収納処理を開始する。具体的にエスクロ部１７は、ドラムを逆回転させることにより保留していた小切手ＣＫを１枚ずつ繰り出し、第２切替部１６を介してスキャナ部１５に引き渡していく。
【００３６】
スキャナ部１５は、第２切替部１６から順次受け取った小切手ＣＫを第２搬送路Ｗ２に沿って後方へ搬送しながら、内蔵するプリンタやスタンプ押印部により該小切手ＣＫに対し取引結果等を表す情報を印字すると共にその画像を撮像して印字状態を認識した上で、該小切手ＣＫを第１切替部１４に引き渡す。
【００３７】
このとき第１切替部１４は、制御部３の制御により前側の第２搬送路Ｗ２及び下側の第３搬送路Ｗ３を繋ぐように内部の搬送経路を切り替えており、スキャナ部１５から受け取った小切手ＣＫを下方の後中搬送部１９に引き渡す。後中搬送部１９は、リトラクト部１８の後側において上下方向に沿って第３搬送路Ｗ３を形成されており、第１切替部１４から受け取った小切手ＣＫをこの第３搬送路Ｗ３に沿って下方へ搬送し、下側の第３切替部２０に引き渡す。
【００３８】
第３切替部２０は、制御部３の制御に基づいて内部の搬送経路を切り替えることにより、上側の第３搬送路Ｗ３及び下側の第４搬送路Ｗ４を繋ぎ、或いは上側の第３搬送路Ｗ３及び前側の第５搬送路Ｗ５を繋ぐ。例えば第３切替部２０は、上側の第３搬送路Ｗ３及び下側の第４搬送路Ｗ４を繋ぐように内部の搬送経路を切り替えていた場合、上側の後中搬送部１９から受け取った小切手ＣＫを、下側の後下搬送部２１に引き渡す。
【００３９】
後下搬送部２１は、上側と前下側とを結ぶように第４搬送路Ｗ４を形成しており、第３切替部２０から受け取った小切手ＣＫを前下方へ搬送し、その前下方に設けられた第１スタッカ部２２Ａに引き渡す。第１スタッカ部２２Ａは、筐体２に対し着脱可能であり内部に多数の小切手ＣＫを集積した状態で収納可能なスタッカや、該スタッカ内へ小切手ＣＫを放出する放出機構等を有している。この第１スタッカ部２２Ａは、後下搬送部２１から小切手ＣＫを受け取ると、該小切手ＣＫを放出機構により放出し、スタッカ内に集積した状態で収納する。
【００４０】
また第３切替部２０は、上側の第３搬送路Ｗ３及び前側の第５搬送路Ｗ５を繋ぐように内部の搬送経路を切り替えていた場合、後中搬送部１９から受け取った小切手ＣＫを前側の下搬送部２３に引き渡す。下搬送部２３は、リトラクト部１８の下側且つ第１スタッカ部２２Ａの上側において、後側と前下側とを結ぶように第５搬送路Ｗ５を形成しており、この第５搬送路Ｗ５に沿って小切手ＣＫを前下方へ搬送し、その前下方に設けられた第２スタッカ部２２Ｂに引き渡す。第２スタッカ部２２Ｂは、第１スタッカ部２２Ａと同様に構成されており、下搬送部２３から小切手ＣＫを受け取ると、該小切手ＣＫを放出機構により放出し、スタッカ内に集積して収納する。
【００４１】
かくして制御部３は、エスクロ部１７に保留していた全ての小切手ＣＫを第１スタッカ部２２Ａ又は第２スタッカ部２２Ｂのスタッカ内に収納させると、収納処理を終了する。これにより制御部３は、利用者との間における小切手ＣＫの入金取引を完了する。
【００４２】
［１−２．画像読取部について］
［１−２−１．画像読取部の構成］
図３に示すように画像読取部３２は、スキャナ部搬送路Ｗｓの周囲に、搬送ガイド４０Ｕ及び搬送ガイド４０Ｄと、画像読取部３２と、ブラシ部４８（ブラシ部４８Ｕｆ、４８Ｕｂ、４８Ｄｆ及び４８Ｄｂ）とを有している。搬送ガイド４０Ｕと搬送ガイド４０Ｄとの間には、小切手ＣＫを前方向又は後方向に走行させるスキャナ部搬送路Ｗｓが設けられている。
【００４３】
小切手処理装置１は、利用者（顧客）が小切手処理装置１へ小切手ＣＫを入金する入金処理時には、スキャナ部搬送路Ｗｓを後方から前方へ向かって小切手ＣＫを搬送する一方、エスクロ部１７に保留した小切手ＣＫをスタッカ部２２へ収納する収納処理時と、利用者に小切手を返却する返却処理時とには、スキャナ部搬送路Ｗｓを前方から後方へ向かって小切手ＣＫを搬送する。小切手ＣＫは、スキャナ部搬送路Ｗｓにおける、搬送される小切手ＣＫの厚み方向の中央部分であるスキャナ部搬送路中央Ｗｓｃにおいて搬送される。
【００４４】
搬送ガイド４０Ｕは、前側の搬送ガイド４０Ｕｆ及び後側の搬送ガイド４０Ｕｂを有し、板状に形成され、前後方向に沿って延び、搬送される小切手ＣＫと対向する搬送ガイド面４０ＵＳ（搬送ガイド面４０ＵｆＳ及び４０ＵｂＳ）により小切手ＣＫの上側をガイドするガイド部材である。搬送ガイド面４０ＵＳは、搬送ガイド４０Ｕｆの下面である搬送ガイド面４０ＵｆＳと搬送ガイド４０Ｕｂの下面である搬送ガイド面４０ＵｂＳとにより構成される。
【００４５】
搬送ガイド４０Ｕｆは、小切手ＣＫと対向して前後方向に沿って延びる小切手対向部４３Ｕｆの後端部分におけるガイド角部４７Ｕｆにおいて上方へ向かって屈曲して延びる読取部対向部４４Ｕｆが形成されており、読取部対向部４４Ｕｆの後端面に読取部対向面４４ＵｆＳが形成されている。ガイド角部４７Ｕｆにおいてスキャナ部搬送路Ｗｓと対向する側には、ガイド角部面４７ＵｆＳが形成されている。ガイド角部面４７ＵｆＳは、後方から前方へ搬送される小切手ＣＫの搬送方向に対向する方向である後方向と、搬送される小切手ＣＫの紙面に対向する方向である下方向とを含む方向に法線が向く、搬送方向に対し傾斜する傾斜面である。
【００４６】
搬送ガイド４０Ｕｂは、小切手ＣＫと対向して前後方向に沿って延びる小切手対向部４３Ｕｂの前端部分におけるガイド角部４７Ｕｂにおいて上方へ向かって屈曲して延びる読取部対向部４４Ｕｂが形成されており、読取部対向部４４Ｕｂの前端面に読取部対向面４４ＵｂＳが形成されている。ガイド角部４７Ｕｂにおいてスキャナ部搬送路Ｗｓと対向する側には、ガイド角部面４７ＵｂＳが形成されている。ガイド角部面４７ＵｂＳは、前方から後方へ搬送される小切手ＣＫの搬送方向に対向する方向である前方向と、搬送される小切手ＣＫの紙面に対向する方向である下方向とを含む方向に法線が向く、搬送方向に対し傾斜する傾斜面である。
【００４７】
この読取部対向面４４ＵｆＳと読取部対向面４４ＵｂＳとの間には、裏面画像読取部３２Ｒを配置させる前後方向に所定の間隔が空いたガイド隙間４２Ｕが形成されている。また読取部対向面４４ＵｆＳと裏面画像読取部３２Ｒとの間には、前後方向に所定の間隔が空いたガイド隙間４２Ｕｆが、読取部対向面４４ＵｂＳと裏面画像読取部３２Ｒとの間には、前後方向に所定の間隔が空いたガイド隙間４２Ｕｂが、それぞれ形成されている。
【００４８】
このように搬送ガイド４０Ｕｆと裏面画像読取部３２Ｒとがガイド隙間４２Ｕｆを空けて隣接している箇所を、搬送ガイド連結部としてのガイド隣接部９０Ｕｆとも呼ぶ。ガイド隣接部９０Ｕｆは、スキャナ部搬送路Ｗｓの周囲に、搬送ガイド４０Ｕｆ及び裏面画像読取部３２Ｒと、ブラシ部４８Ｕｆとを有している。またこのように搬送ガイド４０Ｕｂと裏面画像読取部３２Ｒとがガイド隙間４２Ｕｂを空けて隣接している箇所を、搬送ガイド連結部としてのガイド隣接部９０Ｕｂとも呼ぶ。ガイド隣接部９０Ｕｂは、スキャナ部搬送路Ｗｓの周囲に、搬送ガイド４０Ｕｂ及び裏面画像読取部３２Ｒと、ブラシ部４８Ｕｂとを有している。
【００４９】
搬送ガイド４０Ｄは、前側の搬送ガイド４０Ｄｆ及び後側の搬送ガイド４０Ｄｂを有し、板状に形成され、前後方向に沿って延び、搬送される小切手ＣＫと対向する搬送ガイド面４０ＤＳ（搬送ガイド面４０ＤｆＳ及び４０ＤｂＳ）により搬送ガイド４０Ｕと対向し小切手ＣＫの下側をガイドするガイド部材である。搬送ガイド面４０ＤＳは、搬送ガイド４０Ｄｆの上面である搬送ガイド面４０ＤｆＳと搬送ガイド４０Ｄｂの上面である搬送ガイド面４０ＤｂＳとにより構成される。
【００５０】
搬送ガイド４０Ｄｆは、小切手ＣＫと対向して前後方向に沿って延びる小切手対向部４３Ｄｆの後端部分におけるガイド角部４７Ｄｆにおいて下方へ向かって屈曲して延びる読取部対向部４４Ｄｆが形成されており、読取部対向部４４Ｄｆの後端面に読取部対向面４４ＤｆＳが形成されている。ガイド角部４７Ｄｆにおいてスキャナ部搬送路Ｗｓと対向する側には、ガイド角部面４７ＤｆＳが形成されている。ガイド角部面４７ＤｆＳは、後方から前方へ搬送される小切手ＣＫの搬送方向に対向する方向である後方向と、搬送される小切手ＣＫの紙面に対向する方向である上方向とを含む方向に法線が向く、搬送方向に対し傾斜する傾斜面である。
【００５１】
搬送ガイド４０Ｄｂは、小切手ＣＫと対向して前後方向に沿って延びる小切手対向部４３Ｄｂの前端部分におけるガイド角部４７Ｄｂにおいて下方へ向かって屈曲して延びる読取部対向部４４Ｄｂが形成されており、読取部対向部４４Ｄｂの前端面に読取部対向面４４ＤｂＳが形成されている。ガイド角部４７Ｄｂにおいてスキャナ部搬送路Ｗｓと対向する側には、ガイド角部面４７ＤｂＳが形成されている。ガイド角部面４７ＤｂＳは、前方から後方へ搬送される小切手ＣＫの搬送方向に対向する方向である前方向と、搬送される小切手ＣＫの紙面に対向する方向である上方向とを含む方向に法線が向く、搬送方向に対し傾斜する傾斜面である。
【００５２】
この読取部対向面４４ＤｆＳと読取部対向面４４ＤｂＳとの間には、表面画像読取部３２Ｓを配置させる前後方向に所定の間隔が空いたガイド隙間４２Ｄが形成されている。また読取部対向面４４ＤｆＳと表面画像読取部３２Ｓとの間には、前後方向に所定の間隔が空いたガイド隙間４２Ｄｆが、読取部対向面４４ＤｂＳと表面画像読取部３２Ｓとの間には、前後方向に所定の間隔が空いたガイド隙間４２Ｄｂが、それぞれ形成されている。
【００５３】
このように搬送ガイド４０Ｄｆと表面画像読取部３２Ｓとがガイド隙間４２Ｄｆを空けて隣接している箇所を、搬送ガイド連結部としてのガイド隣接部９０Ｄｆとも呼ぶ。ガイド隣接部９０Ｄｆは、スキャナ部搬送路Ｗｓの周囲に、搬送ガイド４０Ｄｆ及び表面画像読取部３２Ｓと、ブラシ部４８Ｄｆとを有している。またこのように搬送ガイド４０Ｄｂと表面画像読取部３２Ｓとがガイド隙間４２Ｄｂを空けて隣接している箇所を、搬送ガイド連結部としてのガイド隣接部９０Ｄｂとも呼ぶ。ガイド隣接部９０Ｄｂは、スキャナ部搬送路Ｗｓの周囲に、搬送ガイド４０Ｄｂ及び表面画像読取部３２Ｓと、ブラシ部４８Ｄｂとを有している。
【００５４】
裏面画像読取部３２Ｒは、スキャナ部搬送路Ｗｓの上側におけるガイド隙間４２Ｕに配置されており、スキャナ部搬送路Ｗｓを搬送される小切手ＣＫの小切手裏面を撮像して画像データを生成し、制御部３へ送出する。この裏面画像読取部３２Ｒにおいてスキャナ部搬送路Ｗｓと対向する下端面である裏面画像読取部搬送路対向部４５Ｒは、ガラスにより構成されており、搬送ガイド面４０ＵＳと面一でありスキャナ部搬送路Ｗｓの一部を構成し、小切手ＣＫの上側をガイドしている。裏面画像読取部搬送路対向部４５Ｒにおける前端部の角部の面である傾斜面としての裏面画像読取部角部面４６ＲｆＳと後端部の角部の面である傾斜面としての裏面画像読取部角部面４６ＲｂＳとは、ガラスに面取りが施されていることにより、小切手ＣＫの衝突を低減している。
【００５５】
表面画像読取部３２Ｓは、スキャナ部搬送路Ｗｓの下側におけるガイド隙間４２Ｄに配置されており、スキャナ部搬送路Ｗｓを搬送される小切手ＣＫの小切手表面を撮像して画像データを生成し、制御部３へ送出する。この表面画像読取部３２Ｓにおいてスキャナ部搬送路Ｗｓと対向する上端面である表面画像読取部搬送路対向部４５Ｓは、ガラスにより構成されており、搬送ガイド面４０ＤＳと面一でありスキャナ部搬送路Ｗｓの一部を構成し、小切手ＣＫの下側をガイドしている。表面画像読取部搬送路対向部４５Ｓにおける前端部の角部の面である表面画像読取部角部面４６ＳｆＳと後端部の角部の面である表面画像読取部角部面４６ＳｂＳとは、ガラスに面取りが施されていることにより、小切手ＣＫの衝突を低減している。
【００５６】
読取部対向面４４ＵｆＳにおいて裏面画像読取部３２Ｒと対向する箇所には、ブラシ部４８Ｕｆが固定されている。ブラシ部４８Ｕｆは、読取部対向面４４ＵｆＳに貼り付けられた固定部４９と、該固定部４９からスキャナ部搬送路Ｗｓへ向かって突出する弾性部材であるブラシ５０とにより構成されている。ブラシ５０は、複数の毛が搬送幅方向に沿って小切手ＣＫの搬送幅よりも広い範囲に亘って配され、固定部４９からスキャナ部搬送路中央Ｗｓｃに向かって、スキャナ部搬送路中央Ｗｓｃが延びる方向である前後方向に対し垂直に下方へ突出し、搬送ガイド面４０ＵＳとスキャナ部搬送路中央Ｗｓｃとの間まで先端が到達している。このためブラシ５０は、搬送ガイド面４０ＵＳ及び裏面画像読取部搬送路対向部４５Ｒよりもスキャナ部搬送路中央Ｗｓｃ寄りまで突出するものの、スキャナ部搬送路中央Ｗｓｃを正常に搬送される小切手ＣＫには当接しない。
【００５７】
また読取部対向面４４ＵｂＳにおいて裏面画像読取部３２Ｒと対向する箇所には、ブラシ部４８Ｕｂが固定されている。ブラシ部４８Ｕｂは、読取部対向面４４ＵｂＳに貼り付けられた固定部４９と、該固定部４９からスキャナ部搬送路Ｗｓへ向かって突出する弾性部材であるブラシ５０とにより構成されている。ブラシ５０は、複数の毛が搬送幅方向に沿って小切手ＣＫの搬送幅よりも広い範囲に亘って配され、固定部４９からスキャナ部搬送路中央Ｗｓｃに向かって、スキャナ部搬送路中央Ｗｓｃが延びる方向である前後方向に対し垂直に下方へ突出し、搬送ガイド面４０ＵＳとスキャナ部搬送路中央Ｗｓｃとの間まで先端が到達している。このためブラシ５０は、搬送ガイド面４０ＵＳ及び裏面画像読取部搬送路対向部４５Ｒよりもスキャナ部搬送路中央Ｗｓｃ寄りまで突出するものの、スキャナ部搬送路中央Ｗｓｃを正常に搬送される小切手ＣＫには当接しない。
【００５８】
このように裏面画像読取部３２Ｒに対する搬送方向の上流側及び下流側には、ブラシ部４８Ｕｆ及び４８Ｕｂが設けられている。以上はブラシ部４８Ｕｆ及び４８Ｕｂについて述べたが、裏面画像読取部３２Ｒに対するブラシ部４８Ｕｆ及び４８Ｕｂの構成と同様に、表面画像読取部３２Ｓに対する搬送方向の上流側及び下流側にも、ブラシ部４８Ｄｆ及び４８Ｄｂが設けられている。
【００５９】
以下では、搬送ガイド４０Ｕ及び４０Ｄをまとめて搬送ガイド４０とも呼び、搬送ガイド面４０ＵＳ及び４０ＤＳをまとめて搬送ガイド面４０Ｓとも呼び、ガイド隙間４２Ｕ及び４２Ｄをまとめてガイド隙間４２とも呼び、読取部対向部４４Ｕｆ、４４Ｕｂ、４４Ｄｆ及び４４Ｄｂをまとめて読取部対向部４４とも呼び、読取部対向面４４ＵｆＳ、４４ＵｂＳ、４４ＤｆＳ及び４４ＤｂＳをまとめて読取部対向面４４Ｓとも呼び、裏面画像読取部角部面４６ＲｆＳ及び４６ＲｂＳをまとめて裏面画像読取部角部面４６ＲＳとも呼び、表面画像読取部角部面４６ＳｆＳ及び４６ＳｂＳをまとめて表面画像読取部角部面４６ＳＳとも呼び、裏面画像読取部角部面４６ＲＳ及び表面画像読取部角部面４６ＳＳをまとめて画像読取部角部面４６Ｓとも呼び、ガイド角部面４７ＵｆＳ、４７ＵｂＳ、４７ＤｆＳ及び４７ＤｂＳをまとめてガイド角部面４７Ｓとも呼び、ブラシ部４８Ｕｆ、４８Ｕｂ、４８Ｄｆ及び４８Ｄｂをまとめてブラシ部４８とも呼び、ガイド隣接部９０Ｕｂ、９０Ｕｂ、９０Ｄｆ及び９０Ｄｂをまとめてガイド隣接部９０とも呼ぶ。
【００６０】
［１−２−２．画像読取部の動作］
かかる構成において、図４に示すように小切手ＣＫが後方から前方へ向かって搬送されると、小切手ＣＫの搬送方向先端がブラシ部４８Ｄｂまで到達する。この小切手ＣＫが変形等により搬送方向先端が下方へ向いていた場合、ガイド隙間４２Ｄｂに小切手ＣＫの搬送方向先端が入り込もうとする。このとき小切手ＣＫは、ブラシ部４８Ｄｂにおけるブラシ５０に当接し、該ブラシ５０の弾性力により搬送方向先端が上方へ持ち上げられ、ガイド隙間４２Ｄｂに入り込まずに、且つ表面画像読取部角部面４６ＳｂＳに衝突することなく、搬送される。
【００６１】
小切手ＣＫがさらに前方へ搬送され、搬送方向先端が表面画像読取部３２Ｓを通過しブラシ部４８Ｄｆに到達すると、ブラシ部４８Ｄｂの場合と同様に、小切手ＣＫは、ブラシ部４８Ｄｆにおけるブラシ５０に当接し、該ブラシ５０の弾性力により搬送方向先端が上方へ持ち上げられ、搬送方向先端がガイド隙間４２Ｄｆに入り込まずに、且つガイド角部４７Ｄｆに衝突することなく、搬送される。
【００６２】
以上は小切手ＣＫが後方から前方に向かって搬送される際における表面画像読取部３２Ｓの周辺と小切手ＣＫとの関係について説明したが、小切手ＣＫが前方から後方に向かって搬送される際における表面画像読取部３２Ｓの周辺と小切手ＣＫとの関係と、小切手ＣＫが後方から前方に向かって搬送される際における裏面画像読取部３２Ｒの周辺と小切手ＣＫとの関係と、小切手ＣＫが前方から後方に向かって搬送される際における裏面画像読取部３２Ｒの周辺と小切手ＣＫとの関係とについても同様である。
【００６３】
［１−２−３．画像読取部の効果］
このように小切手処理装置１は、ガイド隣接部９０において、搬送ガイド４０と画像読取部３２との間の隙間であるガイド隙間４２に、ブラシ部４８を設けるようにした。これにより小切手処理装置１は、搬送方向先端がガイド隙間４２に入ってしまうことと画像読取部３２又は搬送ガイド４０に衝突してしまうこととを防止しつつ、小切手ＣＫを搬送できる。
【００６４】
また、従来の媒体処理装置においては、図９に示したように爪部９３ｆが爪部９３ｂに入り込んで所謂入れ子を形成するために、噛合搬送距離Ｌ５だけ搬送方向である前後方向に沿って爪部９３ｆ及び爪部９３ｂが搬送路を占有するため、限られた搬送路エリア内に各種センサ類や搬送ローラなどを多数配置することが困難となってしまった。これに対し小切手処理装置１は、ガイド隣接部９０において、搬送ガイド連結部３６８（図９）のように爪部９３ｆを爪部９３ｂに入り込ませる必要なく、搬送方向先端がガイド隙間４２に入ってしまうことを防止できる。このため小切手処理装置１は、搬送ガイド連結部３６８（図９）においてはガイド隙間９４に小切手ＣＫが入ることを防止する機構が噛合搬送距離Ｌ５だけ搬送路を占有してしまっていたが、これを、ブラシ部４８における小切手ＣＫの搬送方向に沿った厚さだけに抑えることができる。これにより小切手処理装置１は、ガイド隣接部９０を小型化でき、限られた搬送路エリア内に各種センサ類や搬送ローラ等をより多く実装することができる。
【００６５】
また小切手処理装置１は、それぞれ裏面画像読取部３２Ｒに裏面画像読取部角部面４６ＲｆＳ及び裏面画像読取部角部面４６ＲｂＳを、表面画像読取部３２Ｓに表面画像読取部角部面４６ＳｆＳ及び表面画像読取部角部面４６ＳｂＳを形成することにより、裏面画像読取部３２Ｒ及び３２Ｓへの小切手ＣＫの衝突を低減している。しかしながら図４（Ａ）のように搬送方向先端がカールした小切手ＣＫに対しては衝突防止としては十分ではない可能性があった。
【００６６】
これに対し小切手処理装置１は、そのように搬送方向先端がカールした小切手ＣＫに対しても、ブラシ５０で搬送方向先端を搬送路中央Ｗｃに向かって移動させ、裏面画像読取部３２Ｒ又は表面画像読取部３２Ｓに近づかないように遠ざけることにより、裏面画像読取部３２Ｒ又は表面画像読取部３２Ｓに小切手ＣＫが衝突することをより一層防止できる。
【００６７】
［１−３．磁気文字読取部について］
［１−３−１．磁気文字読取部の構成］
磁気文字読取部３０は、スキャナ部搬送路Ｗｓの周囲に、搬送ガイド５２Ｕ及び搬送ガイド５２Ｄと、プラテンローラ６４と、磁気文字読取部ヘッド３１と、ブラシ部５８（ブラシ部５８Ｄｆ及び５８Ｄｂ）とを有している。
【００６８】
搬送ガイド５２Ｕは、前側の搬送ガイド５２Ｕｆ及び後側の搬送ガイド５２Ｕｂを有し、板状に形成され、前後方向に沿って延び、搬送される小切手ＣＫと対向する搬送ガイド面５２ＵＳ（搬送ガイド面５２ＵｆＳ及び５２ＵｂＳ）により小切手ＣＫの上側をガイドするガイド部材である。搬送ガイド面５２ＵＳは、搬送ガイド５２Ｕｆの下面である搬送ガイド面５２ＵｆＳと搬送ガイド５２Ｕｂの下面である搬送ガイド面５２ＵｂＳとにより構成される。この搬送ガイド５２Ｕｆと搬送ガイド５２Ｕｂとの間には、プラテンローラ６４を配置させる前後方向に所定の間隔が空いたガイド隙間５４Ｕが形成されている。
【００６９】
搬送ガイド５２Ｄは、前側の搬送ガイド５２Ｄｆ及び後側の搬送ガイド５２Ｄｂを有し、板状に形成され、前後方向に沿って延び、搬送される小切手ＣＫと対向する搬送ガイド面５２ＤＳ（搬送ガイド面５２ＤｆＳ及び５２ＤｂＳ）により搬送ガイド５２Ｕと対向し小切手ＣＫの下側をガイドするガイド部材である。搬送ガイド面５２ＤＳは、搬送ガイド５２Ｄｆの上面である搬送ガイド面５２ＤｆＳと搬送ガイド５２Ｄｂの上面である搬送ガイド面５２ＤｂＳとにより構成される。
【００７０】
搬送ガイド５２Ｄｆは、小切手ＣＫと対向して前後方向に沿って延びる小切手対向部５５Ｄｆの後端部分におけるガイド角部５７Ｄｆにおいて下方へ向かって屈曲して延びる読取部対向部５６Ｄｆが形成されており、読取部対向部５６Ｄｆの後端面に読取部対向面５６ＤｆＳが形成されている。ガイド角部５７Ｄｆにおいてスキャナ部搬送路Ｗｓと対向する側には、ガイド角部面５７ＤｆＳが形成されている。ガイド角部面５７ＤｆＳは、後方から前方へ搬送される小切手ＣＫの搬送方向に対向する方向である後方向と、搬送される小切手ＣＫの紙面に対向する方向である上方向とを含む方向に法線が向く、搬送方向に対し傾斜する傾斜面である。
【００７１】
搬送ガイド５２Ｄｂは、小切手ＣＫと対向して前後方向に沿って延びる小切手対向部５５Ｄｂの前端部分におけるガイド角部５７Ｄｂにおいて下方へ向かって屈曲して延びる読取部対向部５６Ｄｂが形成されており、読取部対向部５６Ｄｂの前端面に読取部対向面５６ＤｂＳが形成されている。ガイド角部５７Ｄｂにおいてスキャナ部搬送路Ｗｓと対向する側には、ガイド角部面５７ＤｂＳが形成されている。ガイド角部面５７ＤｂＳは、前方から後方へ搬送される小切手ＣＫの搬送方向に対向する方向である前方向と、搬送される小切手ＣＫの紙面に対向する方向である上方向とを含む方向に法線が向く、搬送方向に対し傾斜する傾斜面である。
【００７２】
この読取部対向面５６ＤｆＳと読取部対向面５６ＤｂＳとの間には、磁気文字読取部ヘッド３１を配置させる前後方向に所定の間隔が空いたガイド隙間５４Ｄが形成されている。また読取部対向面５６ＤｆＳと磁気文字読取部ヘッド３１との間には、前後方向に所定の間隔が空いたガイド隙間５４Ｄｆが、読取部対向面５６ＤｂＳと磁気文字読取部ヘッド３１との間には、前後方向に所定の間隔が空いたガイド隙間５４Ｄｂが、それぞれ形成されている。
【００７３】
このように搬送ガイド５２Ｄｆと磁気文字読取部ヘッド３１とがガイド隙間５４Ｄｆを空けて隣接している箇所を、搬送ガイド連結部としてのガイド隣接部９１Ｄｆとも呼ぶ。ガイド隣接部９１Ｄｆは、スキャナ部搬送路Ｗｓの周囲に、搬送ガイド５２Ｄｆ及び磁気文字読取部ヘッド３１と、ブラシ部５８Ｄｆとを有している。またこのように搬送ガイド５２Ｄｂと磁気文字読取部ヘッド３１とがガイド隙間５４Ｄｂを空けて隣接している箇所を、搬送ガイド連結部としてのガイド隣接部９１Ｄｂとも呼ぶ。ガイド隣接部９１Ｄｂは、スキャナ部搬送路Ｗｓの周囲に、搬送ガイド５２Ｄｂ及び磁気文字読取部ヘッド３１と、ブラシ部５８Ｄｂとを有している。
【００７４】
プラテンローラ６４は、左右方向を軸にして回転可能に固定され、外周面の一部をガイド隙間５４Ｕからスキャナ部搬送路Ｗｓに突出させており、小切手ＣＫに当接して回転することにより該小切手ＣＫを搬送する。磁気文字読取部ヘッド３１は、プラテンローラ６４に対し離接する上下方向に移動可能に構成されており、付勢部材である圧縮ばね６２により上方向に向けて付勢され、プラテンローラ６４に押し付けられている。これにより小切手ＣＫは、プラテンローラ６４と磁気文字読取部ヘッド３１との間を通過する際に、磁気文字読取部ヘッド３１に押し付けられながら移動する。
【００７５】
スキャナ部１５は、図５（Ｂ）に示すように、スキャナ部搬送路Ｗｓの右端に設けられた搬送基準面６６に小切手ＣＫの磁気文字対向長辺ＭＳｏ又は磁気文字側長辺ＭＳを当接させることにより、小切手ＣＫの搬送幅方向の位置を位置決めしながら搬送する。磁気文字読取部ヘッド３１は、２個の磁気文字読取部ヘッド３１Ｌ及び３１Ｒがスキャナ部搬送路Ｗｓの右寄りに配置されており、磁気文字読取部ヘッド３１Ｒが図示しないフレームに固定されていると共に、磁気文字読取部ヘッド３１Ｌが図示しない機構により搬送幅方向であるヘッド移動方向に移動可能である。
【００７６】
制御部３は、磁気文字読取部ヘッド３１から供給された検知結果を基に、永久磁石により磁化された小切手ＣＫの磁気文字ＭＩＣＲを読み取り、小切手ＣＫが真正なもの（いわゆる真券）又は偽造されたもの（いわゆる偽券）の何れであるかを判断する。
【００７７】
磁気文字読取部ヘッド３１には、ヘッド搬送ガイド２６が固定されている。ヘッド搬送ガイド２６は、磁気文字読取部ヘッド３１に対し前後に設けられたガイド面により、磁気文字読取部ヘッド３１に対する小切手ＣＫの当たりを和らげると共に、磁気文字読取部ヘッド３１に対し左側に設けられたガイド面により、小切手ＣＫの搬送をガイドする。またヘッド搬送ガイド２６は、前端部の角部であるガイド角部２６ｆと後端部の角部であるガイド角部２６ｂとが湾曲しており、小切手ＣＫの衝突を低減している。ガイド角部２６ｆにおいてスキャナ部搬送路Ｗｓと対向する側には、ガイド角部面２６ｆＳが形成されている。ガイド角部面２６ｆＳは、前方から後方へ搬送される小切手ＣＫの搬送方向に対向する方向である前方向と、搬送される小切手ＣＫの紙面に対向する方向である上方向とを含む方向に法線が向く、搬送方向に対し傾斜する傾斜面である。ガイド角部２６ｂにおいてスキャナ部搬送路Ｗｓと対向する側には、ガイド角部面２６ｂＳが形成されている。ガイド角部面２６ｂＳは、後方から前方へ搬送される小切手ＣＫの搬送方向に対向する方向である後方向と、搬送される小切手ＣＫの紙面に対向する方向である上方向とを含む方向に法線が向く、搬送方向に対し傾斜する傾斜面である。
【００７８】
読取部対向面５６ＤｆＳにおいて磁気文字読取部ヘッド３１と対向する箇所には、ブラシ部５８Ｄｆが固定されている。ブラシ部５８Ｄｆは、読取部対向面５６ＤｆＳに貼り付けられた固定部５９と、該固定部５９からスキャナ部搬送路Ｗｓへ向かって突出する弾性部材であるブラシ６０とにより構成されている。ブラシ６０は、複数の毛が搬送幅方向に沿って小切手ＣＫの搬送幅よりも広い範囲に亘って配され、固定部５９からスキャナ部搬送路中央Ｗｓｃに向かって、スキャナ部搬送路中央Ｗｓｃが延びる方向である前後方向に対し垂直に上方へ突出し、搬送ガイド面５２ＤＳとスキャナ部搬送路中央Ｗｓｃとの間まで先端が到達している。このためブラシ６０は、搬送ガイド面５２ＤＳ及びガイド角部２６ｆよりもスキャナ部搬送路中央Ｗｓｃ寄りまで突出するものの、スキャナ部搬送路中央Ｗｓｃを正常に搬送される小切手ＣＫには当接しない。
【００７９】
読取部対向面５６ＤｂＳにおいて磁気文字読取部ヘッド３１と対向する箇所には、ブラシ部５８Ｄｂが固定されている。ブラシ部５８Ｄｂは、読取部対向面５６ＤｂＳに貼り付けられた固定部５９と、該固定部５９からスキャナ部搬送路Ｗｓへ向かって突出する弾性部材であるブラシ６０とにより構成されている。ブラシ６０は、複数の毛が搬送幅方向に沿って小切手ＣＫの搬送幅よりも広い範囲に亘って配され、固定部５９からスキャナ部搬送路中央Ｗｓｃに向かって、スキャナ部搬送路中央Ｗｓｃが延びる方向である前後方向に対し垂直に上方へ突出し、搬送ガイド面５２ＤＳとスキャナ部搬送路中央Ｗｓｃとの間まで先端が到達している。このためブラシ６０は、搬送ガイド面５２ＤＳ及びガイド角部２６ｂよりもスキャナ部搬送路中央Ｗｓｃ寄りまで突出するものの、スキャナ部搬送路中央Ｗｓｃを正常に搬送される小切手ＣＫには当接しない。
【００８０】
このように磁気文字読取部ヘッド３１に対する搬送方向の上流側及び下流側には、ブラシ部５８Ｄｆ及び５８Ｄｂが設けられている。
【００８１】
以下では、搬送ガイド５２Ｕ及び５２Ｄをまとめて搬送ガイド５２とも呼び、搬送ガイド面５２ＵＳ及び５２ＤＳをまとめて搬送ガイド面５２Ｓとも呼び、ガイド隙間５４Ｕ及び５４Ｄをまとめてガイド隙間５４とも呼び、読取部対向部５６Ｄｆ及び５６Ｄｂをまとめて読取部対向部５６とも呼び、読取部対向面５６ＤｆＳ及び５６ＤｂＳをまとめて読取部対向面５６Ｓとも呼び、ガイド角部５７Ｄｆ及び５７Ｄｂをまとめてガイド角部５７とも呼び、ブラシ部５８Ｄｆ及び５８Ｄｂをまとめてブラシ部５８とも呼び、ガイド隣接部９１Ｄｆ及び９１Ｄｂをまとめてガイド隣接部９１とも呼ぶ。
【００８２】
［１−３−２．磁気文字読取部の動作］
かかる構成において、バンドル部１１に小切手ＣＫが挿入されると、制御部３は、図示しないセンサにより小切手ＣＫの短辺長さＬ３を検出する。続いて制御部３は、短辺長さＬ３に基づき、磁気文字ＭＩＣＲにおける小切手ＣＫの短辺方向の中心と、磁気文字読取部ヘッド３１Ｌのヘッド移動方向の中心との距離であるヘッド磁気文字間距離Ｌ４とがほぼ０となるようにアライナ部１３において小切手ＣＫを搬送幅方向へ移動させつつ、該小切手ＣＫをスキャナ部１５へ搬送させる。
【００８３】
磁気文字読取部トリガセンサ２８（図１）で小切手ＣＫの搬送方向の先端を検出することによりスキャナ部６に小切手ＣＫが搬送されたことを認識すると、制御部３は、スキャナ部モータを正転させることにより搬送ローラを取込回転方向に回転させ、スキャナ部搬送路Ｗｓに沿って小切手ＣＫを前受渡口（図１）へ向かって搬送させる。磁気文字読取部ヘッド３１は、プラテンローラ６４と磁気文字読取部ヘッド３１との間を小切手ＣＫが通過する際に、該小切手ＣＫの磁気を検知し、その検知結果を制御部３へ送出する。
【００８４】
このとき、図５に示すように小切手ＣＫが後方から前方へ向かって搬送されると、小切手ＣＫの搬送方向先端がブラシ部５８Ｄｂまで到達する。この小切手ＣＫが変形等により搬送方向先端が下方へ向いていた場合、ガイド隙間５４Ｄｂに小切手ＣＫの搬送方向先端が入り込もうとする。このとき小切手ＣＫは、ブラシ部５８Ｄｂにおけるブラシ６０に当接し、該ブラシ６０の弾性力により搬送方向先端が上方へ持ち上げられ、搬送方向先端がガイド隙間５４Ｄｂに入り込まずに、且つガイド角部２６ｂに衝突することなく、搬送される。
【００８５】
小切手ＣＫがさらに前方へ搬送され、搬送方向先端が磁気文字読取部ヘッド３１を通過しブラシ部５８Ｄｆに到達すると、ブラシ部５８Ｄｂの場合と同様に、小切手ＣＫは、ブラシ部５８Ｄｆにおけるブラシ６０に当接し、該ブラシ６０の弾性力により搬送方向先端が上方へ持ち上げられ、搬送方向先端がガイド隙間５４Ｄｆに入り込まずに、且つガイド角部５７Ｄｆに衝突することなく、搬送される。
【００８６】
以上は小切手ＣＫが後方から前方に向かって搬送される際における磁気文字読取部ヘッド３１の周辺と小切手ＣＫとの関係について説明したが、小切手ＣＫが前方から後方に向かって搬送される際における磁気文字読取部ヘッド３１の周辺と小切手ＣＫとの関係についても同様である。
【００８７】
［１−３−３．磁気文字読取部の効果］
このように小切手処理装置１は、ガイド隣接部９１において、搬送ガイド５２と磁気文字読取部ヘッド３１との間の隙間であるガイド隙間５４に、ブラシ部５８を設けるようにした。これにより小切手処理装置１は、搬送方向先端がガイド隙間５４に入ってしまうことと磁気文字読取部ヘッド３１又は搬送ガイド５２に衝突してしまうこととを防止しつつ、小切手ＣＫを搬送できる。
【００８８】
また小切手処理装置１は、ガイド隣接部９１において、搬送ガイド連結部３６８（図９）のように爪部９３ｆを爪部９３ｂに入り込ませる必要なく、搬送方向先端がガイド隙間５４に入ってしまうことを防止できる。このため小切手処理装置１は、搬送ガイド連結部３６８（図９）においてはガイド隙間９４に小切手ＣＫが入ることを防止する機構が噛合搬送距離Ｌ５だけ搬送路を占有してしまっていたが、これを、ブラシ部５８における小切手ＣＫの搬送方向に沿った厚さだけに抑えることができる。これにより小切手処理装置１は、ガイド隣接部９１を小型化でき、限られた搬送路エリア内に各種センサ類や搬送ローラ等をより多く実装することができる。
【００８９】
また小切手処理装置１は、それぞれ磁気文字読取部ヘッド３１におけるヘッド搬送ガイド２６のガイド角部面２６ｆＳ及び２９ｂＳが形成されることにより、磁気文字読取部ヘッド３１への小切手ＣＫの衝突が低減されている。しかしながら搬送方向先端がカールした小切手ＣＫに対しては衝突防止としては十分ではない可能性があった。
【００９０】
これに対し小切手処理装置１は、そのように搬送方向先端がカールした小切手ＣＫに対しても、ブラシ６０で搬送方向先端を搬送路中央Ｗｃに向かって移動させ、磁気文字読取部ヘッド３１に近づかないように遠ざけることにより、磁気文字読取部ヘッド３１に小切手ＣＫが衝突することをより一層防止できる。
【００９１】
［１−４．搬送ガイド連結部について］
［１−４−１．搬送ガイド連結部の構成］
図６に示すように搬送路Ｗは、搬送ガイド７０Ｕと搬送ガイド７０Ｄとにより構成されている。小切手ＣＫは、搬送路Ｗにおける、搬送される小切手ＣＫの厚み方向の中央部分である搬送路中央Ｗｃにおいて搬送される。
【００９２】
搬送ガイド７０Ｕは、板状に形成され、前後方向に沿って延び、搬送される小切手ＣＫと対向する搬送ガイド面７０ＵＳにより小切手ＣＫの上側をガイドするガイド部材である。
【００９３】
搬送ガイド７０Ｄは、前側の搬送ガイド７０Ｄｆ及び後側の搬送ガイド７０Ｄｂを有し、板状に形成され、前後方向に沿って延び、搬送される小切手ＣＫと対向する搬送ガイド面７０ＤＳ（搬送ガイド面７０ＤｆＳ及び７０ＤｂＳ）により搬送ガイド７０Ｕと対向し小切手ＣＫの下側をガイドするガイド部材である。搬送ガイド面７０ＤＳは、搬送ガイド７０Ｄｆの上面である搬送ガイド面７０ＤｆＳと搬送ガイド７０Ｄｂの上面である搬送ガイド面７０ＤｂＳとにより構成される。
【００９４】
搬送ガイド７０Ｄｂは、図示しないフレームに対し移動しないよう固定されていると共に、搬送ガイド７０Ｄｆは、搬送ガイド７０Ｄｂに対し搬送幅方向に沿うガイド移動方向に沿って移動可能に設けられている。搬送ガイド７０Ｄｆは、後端部分において櫛歯状の可動側爪部７４が形成されている。搬送ガイド７０Ｄｂは、前端部分において櫛歯状の固定側爪部７５が形成されている。この可動側爪部７４と固定側爪部７５との間には、前後方向に所定の間隔が空いたガイド隙間７２Ｄが形成されている。
【００９５】
このように搬送ガイド７０Ｄｆと搬送ガイド７０Ｄｂとがガイド隙間７２Ｄを空けて連結されている箇所を、搬送ガイド連結部６８と呼ぶ。搬送ガイド連結部６８は、搬送路Ｗの周囲に、搬送ガイド７０Ｕ及び搬送ガイド７０Ｄと、ブラシ部８６とを有している。
【００９６】
可動側爪部７４は、可動側爪７６と可動側迎え爪７７とにより構成されている。可動側爪７６は、搬送幅方向に所定の幅を有し、搬送幅方向に一定間隔を空けて、搬送ガイド７０Ｄｂへ向かう後方へ向かって複数個突設している。可動側爪７６は側面視において略三角形状であり、ガイド隙間７２Ｄから前方へ向かうに連れて厚さが厚くなるよう平面形状の可動側爪面７６Ｓが形成されている。可動側爪面７６Ｓは、後方から前方へ搬送される小切手ＣＫの搬送方向に対向する方向である後方向と、搬送される小切手ＣＫの紙面に対向する方向である上方向とを含む方向に法線が向く、搬送方向に対し傾斜する傾斜面である。隣り合う可動側爪７６同士の間には、可動側爪７６が形成されておらず可動側爪７６よりもガイド隙間７２Ｄから搬送ガイド７０Ｄｆ側へ向かって凹む可動側爪凹部７８が形成されている。
【００９７】
可動側迎え爪７７は、搬送幅方向に可動側爪７６とほぼ同様の幅を有し、隣り合う可動側爪７６同士の間、すなわち可動側爪凹部７８に形成され、搬送ガイド７０Ｄｂへ向かう後方へ向かって複数個突設している。この可動側迎え爪７７は、可動側爪７６よりも搬送方向の長さが短く形成されている。可動側迎え爪７７は側面視において略三角形状であり、ガイド隙間７２Ｄから前方へ向かうに連れて厚さが厚くなるよう平面形状の可動側迎え爪面７７Ｓが形成されている。可動側迎え爪面７７Ｓは、前方から後方へ搬送される小切手ＣＫの搬送方向に対向する方向である後方向と、搬送される小切手ＣＫの紙面に対向する方向である上方向とを含む方向に法線が向く、搬送方向に対し傾斜する傾斜面である。
【００９８】
以下では、複数の可動側爪７６が搬送幅方向に並設されることにより、固定側爪部７５に対向し該複数の可動側爪７６の後端に亘って仮想的に形成された面を、可動側爪部先端面７９とも呼ぶ。
【００９９】
固定側爪部７５は、固定側爪８０と固定側迎え爪８１とにより構成されている。固定側爪８０は、搬送幅方向に可動側爪７６とほぼ同様の幅を有し、搬送幅方向に可動側爪７６とほぼ同様の一定間隔を空けて、搬送ガイド７０Ｄｆへ向かう前方へ向かって複数個突設している。固定側爪８０は側面視において略三角形状であり、ガイド隙間７２Ｄから後方へ向かうに連れて厚さが厚くなるよう平面形状の固定側爪面８０Ｓが形成されている。固定側爪面８０Ｓは、前方から後方へ搬送される小切手ＣＫの搬送方向に対向する方向である前方向と、搬送される小切手ＣＫの紙面に対向する方向である上方向とを含む方向に法線が向く、搬送方向に対し傾斜する傾斜面である。隣り合う固定側爪８０同士の間には、固定側爪８０が形成されておらず固定側爪８０よりもガイド隙間７２Ｄから搬送ガイド７０Ｄｂ側へ向かって凹む固定側爪凹部８２が形成されている。
【０１００】
固定側迎え爪８１は、搬送幅方向に固定側爪８０とほぼ同様の幅を有し、搬送幅方向に一定間隔を空けて、隣り合う固定側爪８０同士の間、すなわち固定側爪凹部８２に形成され、搬送ガイド７０Ｄｆへ向かう前方へ向かって複数個突設している。この固定側迎え爪８１は、固定側爪８０よりも搬送方向の長さが短く形成されている。固定側迎え爪８１は側面視において略三角形状であり、ガイド隙間７２Ｄから後方へ向かうに連れて厚さが厚くなるよう平面形状の固定側迎え爪面８１Ｓが形成されている。固定側迎え爪面８１Ｓは、前方から後方へ搬送される小切手ＣＫの搬送方向に対向する方向である前方向と、搬送される小切手ＣＫの紙面に対向する方向である上方向とを含む方向に法線が向く、搬送方向に対し傾斜する傾斜面である。
【０１０１】
以下では、複数の固定側爪８０が搬送幅方向に並設されることにより、可動側爪部７４に対向し該複数の固定側爪８０の前端に亘って仮想的に形成された面を、固定側爪部先端面８３とも呼ぶ。可動側爪部先端面７９は、固定側爪部先端面８３よりも前方、すなわちガイド隙間７２Ｄから搬送ガイド７０Ｄｆに向かって離隔する方向に位置している。
【０１０２】
このように可動側爪部７４は、可動側爪７６の先端を固定側爪部７５の固定側爪８０よりもガイド隙間７２Ｄから離隔する方向に位置させることにより、可動側爪７６が固定側爪８０に入り込まない、すなわちオーバーラップしない状態で可動側爪７６と固定側爪８０とを連結させている。
【０１０３】
ガイド隙間７２Ｄには、ブラシ部８６が図示しないフレームに固定されている。ブラシ部８６は、図示しないフレームに貼り付けられた固定部８７と、該固定部８７から搬送路Ｗへ向かって突出する弾性部材であるブラシ８８とにより構成されている。ブラシ８８は、複数の毛が搬送幅方向に沿って小切手ＣＫの搬送幅よりも広い範囲に亘ると共に、可動側迎え爪７７の先端の後方から固定側迎え爪８１の先端の前方までに亘って配され、固定部８７から搬送路中央Ｗｃに向かって、搬送路中央Ｗｃが延びる方向である前後方向に対し垂直に上方へ突出し、搬送ガイド面７０ＤＳと搬送路中央Ｗｃとの間まで先端が到達している。このためブラシ８８は、搬送ガイド面７０ＤＳよりも搬送路中央Ｗｃ寄りまで突出するものの、搬送路中央Ｗｃを正常に搬送される小切手ＣＫには当接しない。また具体的にブラシ８８は、隣り合う可動側爪７６同士の間と、隣り合う固定側爪８０同士の間と、対向する可動側爪７６と固定側爪８０との間と、可動側爪７６よりも搬送幅方向の外側とから、搬送路中央Ｗｃへ向かって突出している。
【０１０４】
可動側爪７６及び固定側爪８０は、先端がブラシ８８内部に入り込んでいる。このため可動側爪部７４は、可動側爪７６がブラシ８８を掻き分けるように搬送ガイド移動方向へ可動する。
【０１０５】
以下では、搬送ガイド７０Ｕ及び７０Ｄをまとめて搬送ガイド７０とも呼び、搬送ガイド面７０ＵＳ及び７０ＤＳをまとめて搬送ガイド面７０Ｓとも呼ぶ。
【０１０６】
［１−４−２．搬送ガイド連結部の動作］
かかる構成において、小切手ＣＫが後方から前方へ向かって搬送されると、小切手ＣＫの搬送方向先端がブラシ部８６まで到達する。この小切手ＣＫが変形等により搬送方向先端が下方へ向いていた場合、ガイド隙間７２Ｄや可動側爪凹部７８に小切手ＣＫの搬送方向先端が入り込もうとする。このとき小切手ＣＫは、ブラシ部８６におけるブラシ８８に当接し、該ブラシ８８の弾性力により搬送方向先端が上方へ持ち上げられ、搬送方向先端がガイド隙間７２Ｄや可動側爪凹部７８に入り込まずに、且つ可動側爪７６及び可動側迎え爪７７に衝突することなく、搬送される。
【０１０７】
以上は小切手ＣＫが後方から前方に向かって搬送される場合について説明したが、小切手ＣＫが前方から後方に向かって搬送される場合においても同様である。
【０１０８】
［１−４−３．搬送ガイド連結部の効果］
このように小切手処理装置１は、搬送ガイド連結部６８において、搬送ガイド７０Ｄｆと搬送ガイド７０Ｄｂとの間の隙間であるガイド隙間７２Ｄに、ブラシ部８６を設けるようにした。これにより小切手処理装置１は、搬送方向先端がガイド隙間７２Ｄに入ってしまうことを防止しつつ、小切手ＣＫを搬送できる。
【０１０９】
また小切手処理装置１は、固定側爪部７５と可動側爪部７４との間にガイド隙間７２Ｄを設けて、固定側爪部７５に可動側爪部７４が入り込まないようにすると共に、可動側爪７６に加えて可動側迎え爪７７を、固定側爪８０に加えて固定側迎え爪８１を設けるようにした。このため小切手処理装置１は、搬送ガイド連結部３６８（図９）よりも、ガイド隙間９４に小切手ＣＫが入ることを防止する機構が搬送方向に沿って搬送路を占有する距離は長くなってしまうものの、可動側爪凹部７８に進入しそうになった小切手ＣＫの搬送方向先端を可動側迎え爪７７ですくい上げると共に、固定側爪凹部８２に進入しそうになった小切手ＣＫの搬送方向先端を固定側迎え爪８１ですくい上げることができ、小切手ＣＫの搬送ジャムを防止できる。
【０１１０】
また小切手処理装置１は、それぞれ可動側爪７６に可動側爪面７６Ｓを、可動側迎え爪７７に可動側迎え爪面７７Ｓを、固定側爪８０に固定側爪面８０Ｓを、固定側迎え爪８１に固定側迎え爪面８１Ｓを形成することにより、ガイド隙間７２Ｄへの小切手ＣＫの進入を低減している。しかしながら搬送方向先端がカールした小切手ＣＫに対しては進入防止としては十分ではない可能性があった。
【０１１１】
これに対し小切手処理装置１は、そのように搬送方向先端がカールした小切手ＣＫに対しても、ブラシ８８で搬送方向先端を搬送路中央Ｗｃに向かって移動させ、可動側爪面７６Ｓ、可動側迎え爪面７７Ｓ、固定側爪面８０Ｓ及び固定側迎え爪面８１Ｓに近づかないように遠ざけることにより、ガイド隙間７２Ｄへ小切手ＣＫが進入することをより一層防止できる。
【０１１２】
また搬送ガイド連結部３６８（図９）においては爪部９３ｆに爪部９３ｂが入り込んでいるため、搬送ガイド９１ｆに対し搬送ガイド９１ｂが搬送幅方向に移動しようとすると、爪部９３ｂが爪部９３ｆに物理的に干渉してしまい、移動することができなかった。
【０１１３】
これに対し小切手処理装置１は、固定側爪部７５と可動側爪部７４との間にガイド隙間７２Ｄを設けて、固定側爪部７５に可動側爪部７４が入り込まないようにした。これにより小切手処理装置１は、搬送ガイド７０Ｄｂに対し搬送ガイド７０Ｄｆが搬送幅方向に移動する際に固定側爪部７５と可動側爪部７４とが干渉しないようにでき、搬送ガイド７０Ｄｂに対し搬送ガイド７０Ｄｆを搬送幅方向に可動させることができる。
【０１１４】
また小切手処理装置１は、固定側爪部７５に可動側爪部７４を入り込ませないため、固定側爪部７５と可動側爪部７４との間にガイド隙間７２Ｄを空けている状態ではあるものの、ガイド隙間７２Ｄにブラシ部８６を設けるようにした。このため小切手処理装置１は、ガイド隙間７２Ｄに小切手ＣＫが進入することを防止しつつ、搬送ガイド７０Ｄｂに対し搬送ガイド７０Ｄｆを搬送幅方向に可動させることができる。
【０１１５】
［１−５．効果等］
このように小切手処理装置１は、搬送ガイド４０と画像読取部３２との間のガイド隙間４２にブラシ部４８を設け、搬送ガイド５２と磁気文字読取部ヘッド３１との間のガイド隙間５４にブラシ部５８を設け、搬送ガイド７０Ｄｆと搬送ガイド７０Ｄｂとの間のガイド隙間７２Ｄにブラシ部８６を設けるようにした。
【０１１６】
以上の構成によれば小切手処理装置１は、搬送路Ｗにおける搬送経路としての搬送路中央Ｗｃ又はスキャナ部搬送路中央Ｗｓｃを搬送される小切手ＣＫの一面側をガイドする上流側搬送ガイドと、上流側搬送ガイドよりも小切手ＣＫの搬送方向の下流側に設けられ、搬送される小切手ＣＫの一面側をガイドする下流側搬送ガイドと、上流側搬送ガイド及び下流側搬送ガイドにより小切手ＣＫがガイドされない隙間としてのガイド隙間４２、５４若しくは７２Ｄ、可動側爪凹部７８又は固定側爪凹部８２に設けられ、搬送路Ｗに突出し、搬送方向先端が搬送路中央Ｗｃ又はスキャナ部搬送路中央Ｗｓｃから下流側搬送ガイド側へ向かって変形した小切手ＣＫに当接する弾性部材とを設けるようにした。
【０１１７】
これにより小切手処理装置１は、搬送方向先端がガイド隙間４２、５４若しくは７２Ｄ、可動側爪凹部７８又は固定側爪凹部８２に進入してしまうことと、搬送方向下流側の搬送ガイド４０、５２若しくは７０、画像読取部３２又は磁気文字読取部ヘッド３１に衝突してしまうこととを防止しつつ、小切手ＣＫを搬送できる。
【０１１８】
［２．第２の実施の形態］
［２−１．小切手処理装置の構成］
図１に示すように、第２の実施の形態による小切手処理装置１０１は、第１の実施の形態による小切手処理装置１と比較して、搬送ガイド連結部６８に代えて搬送ガイド連結部１６８が設けられている点が異なっているものの、それ以外は同様に構成されている。
【０１１９】
［２−２．搬送ガイド連結部の構成］
図６と対応する部材に同一符号を付した図７に示すように、第２の実施の形態による搬送ガイド連結部１６８は、第１の実施の形態による搬送ガイド連結部６８と比較して、それぞれ搬送ガイド７０に代えて搬送ガイド１７０が、ブラシ部８６に代えてブラシ部１８６が設けられている点が異なっているものの、それ以外は同様に構成されている。搬送ガイド１７０は、搬送ガイド７０と比較して、搬送ガイド７０Ｄに代えて搬送ガイド１７０Ｄが設けられている。搬送ガイド１７０Ｄは、搬送ガイド７０Ｄと比較して、それぞれ搬送ガイド７０Ｄｆに代えて搬送ガイド１７０Ｄｆが、搬送ガイド７０Ｄｂに代えて搬送ガイド１７０Ｄｂが設けられている。
【０１２０】
搬送ガイド１７０Ｄｆは、搬送ガイド７０Ｄｆと比較して、可動側爪部７４に代えて可動側爪部１７４が設けられている。可動側爪部１７４は、可動側爪部７４と比較して、可動側迎え爪７７が省略されており、可動側爪１７６が可動側爪７６よりも搬送幅方向に沿って密に配置されることにより、可動側爪凹部１７８の搬送幅方向の隙間が可動側爪凹部７８よりも狭くなっている。
【０１２１】
搬送ガイド１７０Ｄｂは、搬送ガイド７０Ｄｂと比較して、固定側爪部７５に代えて固定側爪部１７５が設けられている。固定側爪部１７５は、固定側爪部７５と比較して、固定側迎え爪８１が省略されており、固定側爪１８０が固定側爪８０よりも搬送幅方向に沿って密に配置されることにより、固定側爪凹部１８２の搬送幅方向の隙間が固定側爪凹部８２よりも狭くなっている。
【０１２２】
ブラシ部１８６は、可動側爪部１７４側に位置するブラシ部１８６ｆと、固定側爪部１７５側に位置するブラシ部１８６ｂとにより構成されている。
【０１２３】
下流側弾性部材としてのブラシ部１８６ｆは、搬送ガイド１７０Ｄｆに貼り付けられた固定部１８７ｆと、該固定部１８７ｆから搬送路中央Ｗｃへ向かって突出する弾性部材であるブラシ１８８ｆとにより構成されている。ブラシ１８８ｆは、複数の毛が隙間としての可動側爪凹部１７８内に収まり、可動側爪凹部１７８の前端から可動側爪１７６の先端近傍までに亘って配され、固定部１８７ｆから搬送路中央Ｗｃに向かって、搬送路中央Ｗｃが延びる方向である前後方向に対し垂直に上方へ突出し、搬送ガイド面７０ＤＳと搬送路中央Ｗｃとの間まで先端が到達している。
【０１２４】
上流側弾性部材としてのブラシ部１８６ｂは、搬送ガイド１７０Ｄｂに貼り付けられた固定部１８７ｂと、該固定部１８７ｂから搬送路中央Ｗｃへ向かって突出する弾性部材であるブラシ１８８ｂとにより構成されている。ブラシ１８８ｂは、複数の毛が隙間としての固定側爪凹部１８２内に収まり、固定側爪凹部１８２の後端から図７（Ｃ）に示すように固定側爪１８０の先端近傍までに亘って配され、固定部１８７ｂから搬送路中央Ｗｃに向かって、搬送路中央Ｗｃが延びる方向である前後方向に対し垂直に上方へ突出し、搬送ガイド面７０ＤＳと搬送路中央Ｗｃとの間まで先端が到達している。
【０１２５】
［２−３．搬送ガイド連結部の動作］
かかる構成において、小切手ＣＫが後方から前方へ向かって搬送されると、小切手ＣＫの搬送方向先端がブラシ部１８６ｂまで到達する。この小切手ＣＫが変形等により搬送方向先端が下方へ向いていた場合、ガイド隙間７２Ｄや可動側爪凹部１７８に小切手ＣＫの搬送方向先端が入り込もうとする。このとき小切手ＣＫは、ブラシ部１８６ｆにおけるブラシ１８８ｆに当接し、該ブラシ１８８ｆの弾性力により搬送方向先端が上方へ持ち上げられ、搬送方向先端がガイド隙間７２Ｄや可動側爪凹部１７８に入り込まずに、且つ可動側爪１７６に衝突することなく、搬送される。
【０１２６】
以上は小切手ＣＫが後方から前方に向かって搬送される場合について説明したが、小切手ＣＫが前方から後方に向かって搬送される場合においても同様である。
【０１２７】
［２−４．搬送ガイド連結部の効果］
このように小切手処理装置１０１は、搬送ガイド連結部１６８において、搬送ガイド１７０Ｄｆと搬送ガイド１７０Ｄｂとの間のガイド隙間７２Ｄにはブラシを設けないものの、それぞれ可動側爪凹部１７８内において搬送ガイド１７０Ｄｆにブラシ部１８６ｆを、固定側爪凹部１８２内にブラシ部１８６ｂを設けるようにした。
【０１２８】
これにより小切手処理装置１０１は、可動側爪凹部１７８に進入しそうになった小切手ＣＫの搬送方向先端をブラシ１８８ｆで、固定側爪凹部１８２に進入しそうになった小切手ＣＫの搬送方向先端をブラシ１８８ｂで、ガイド隙間７２Ｄに進入しそうになった小切手ＣＫをブラシ部１８６ｆ及びブラシ部１８６ｂでそれぞれすくい上げることができ、搬送方向先端が可動側爪凹部１７８、固定側爪凹部１８２又はガイド隙間７２Ｄに入ってしまうことを防止し、小切手ＣＫの搬送ジャムを防止できる。
【０１２９】
また小切手処理装置１０１は、小切手処理装置１と比較して、可動側迎え爪７７及び固定側迎え爪８１を省略するようにした。このため小切手処理装置１０１は、小切手処理装置１の搬送ガイド連結部６８よりも、搬送ガイド連結部１６８が搬送方向に沿って占有する距離を短くでき、小型化できる。
【０１３０】
また小切手処理装置１０１は、搬送ガイド１７０Ｄｆにおいて隣り合う可動側爪凹部１７８毎に互いに物理的に独立させてブラシ部１８６ｆを設けることにより、搬送ガイド１７０Ｄｆと共にブラシ部１８６ｆが可動するようにした。これにより小切手処理装置１０１は、小切手処理装置１のように可動側爪部７４を搬送ガイド移動方向へ可動させる際に可動側爪７６がブラシ８８を掻き分けることで可動側爪部７４がブラシ８８から物理的な抵抗を受けることなく、可動側爪部１７４を搬送ガイド移動方向へ可動させることができる。
【０１３１】
その他第２の実施の形態による小切手処理装置１０１は、第１の実施の形態による小切手処理装置１とほぼ同様の作用効果を奏する。
【０１３２】
［３．第３の実施の形態］
［３−１．小切手処理装置の構成］
図１に示すように、第３の実施の形態による小切手処理装置２０１は、第２の実施の形態による小切手処理装置１０１と比較して、搬送ガイド連結部１６８に代えて搬送ガイド連結部２６８が設けられている点が異なっているものの、それ以外は同様に構成されている。
【０１３３】
［３−２．搬送ガイド連結部の構成］
図７と対応する部材に同一符号を付した図８に示すように、第３の実施の形態による搬送ガイド連結部２６８は、第２の実施の形態による搬送ガイド連結部１６８と比較して、それぞれブラシ部１８６に代えてブラシ部２８６が設けられている点が異なっているものの、それ以外は同様に構成されている。
【０１３４】
ブラシ部２８６は、可動側爪部１７４側に位置するブラシ部２８６ｆと、固定側爪部１７５側に位置するブラシ部２８６ｂとにより構成されている。
【０１３５】
ブラシ部２８６ｆは、搬送ガイド１７０Ｄｆに貼り付けられた固定部１８７ｆと、該固定部１８７ｆから搬送路中央Ｗｃへ向かって突出する弾性部材であるブラシ２８８ｆとにより構成されている。ブラシ２８８ｆは、複数の毛が可動側爪凹部１７８（図示せず）内に収まり、可動側爪凹部１７８の前端から可動側爪１７６の先端近傍までに亘って配され、固定部１８７ｆから搬送路中央Ｗｃに向かって、搬送路中央Ｗｃが延びる方向である前後方向に対し垂直からガイド隙間７２Ｄへ向かう後方へ傾斜するように上方へ突出し、搬送ガイド面７０ＤＳと搬送路中央Ｗｃとの間まで先端が到達している。
【０１３６】
ブラシ部２８６ｂは、搬送ガイド１７０Ｄｂに貼り付けられた固定部１８７ｂと、該固定部１８７ｂから搬送路中央Ｗｃへ向かって突出する弾性部材であるブラシ２８８ｂとにより構成されている。ブラシ２８８ｂは、複数の毛が固定側爪凹部１８２（図示せず）内に収まり、固定側爪凹部１８２の後端から固定側爪１８０の先端近傍までに亘って配され、固定部１８７ｂから搬送路中央Ｗｃに向かって、搬送路中央Ｗｃが延びる方向である前後方向に対し垂直からガイド隙間７２Ｄへ向かう前方へ傾斜するように上方へ突出し、搬送ガイド面７０ＤＳと搬送路中央Ｗｃとの間まで先端が到達している。
【０１３７】
このように小切手処理装置２０１は、ブラシ２８８ｆ及び２８８ｂを、ガイド隙間７２Ｄへ向かって互いに近接するようガイド隙間７２Ｄの中央へ向かって傾斜させるようにした。このため小切手処理装置２０１は、小切手処理装置１０１と比較して、ブラシ２８８ｆ及び２８８ｂが小切手ＣＫを持ち上げる力をブラシ１８８ｆ及び１８８ｂが小切手ＣＫを持ち上げる力よりも強くできる。これより小切手処理装置２０１は、小切手処理装置１０１よりも小切手ＣＫの搬送ジャムをより一層低減できる。
【０１３８】
その他第３の実施の形態による小切手処理装置２０１は、第２の実施の形態による小切手処理装置１０１とほぼ同様の作用効果を奏する。
【０１３９】
［４．他の実施の形態］
なお上述した実施の形態においては、ブラシ部４８は複数の毛が配されたブラシ５０を有する場合について述べた。本発明はこれに限らず、ブラシ以外の他の種々の部材により、小切手ＣＫの搬送方向先端を移動させても良い。ブラシ部５８、８６、１８６及び２８６についても同様である。要は、剛性が高いと小切手ＣＫが衝突して搬送ジャムが発生してしまうため、弾性部材であれば良い。
【０１４０】
また上述した実施の形態においては、ブラシ部４８Ｕｆ、４８Ｕｂ、４８Ｄｆ及び４８Ｄｂによりブラシ部４８を構成する場合について述べた。本発明はこれに限らず、ブラシ部４８Ｕｆ、４８Ｕｂ、４８Ｄｆ及び４８Ｄｂのうち何れか１つ又は複数を設けずに省略しても良い。ブラシ部５８、８６、１８６及び２８６についても同様である。
【０１４１】
さらに上述した第１の実施の形態においては、画像読取部３２におけるガイド隣接部９０と、磁気文字読取部３０におけるガイド隣接部９１とに本発明を適用する場合について述べた。本発明はこれに限らず、隣接する搬送ガイドが連結している種々の箇所に本発明を適用しても良い。
【０１４２】
さらに上述した第２、第３及び第４の実施の形態における搬送ガイド連結部６８、１６８及び２６８の構造を、画像読取部３２におけるガイド隣接部９０と、磁気文字読取部３０におけるガイド隣接部９１とに適用しても良い。特に、磁気文字読取部３０に搬送ガイド連結部６８、１６８及び２６８の構造を適用した場合は、搬送ガイド７０Ｄｆに磁気文字読取部ヘッド３１を搭載すると、搬送ガイド７０Ｄｂに対し磁気文字読取部ヘッド３１をヘッド移動方向に移動させることができる。
【０１４３】
さらに上述した実施の形態においては、小切手ＣＫを処理する小切手処理装置１、１０１及び２０１に本発明を適用する場合について述べた。しかしながら本発明はこれに限らず、例えば種々の金券や証券、或いは各種チケットなど、紙葉状の媒体を処理する種々の装置に本発明を適用しても良い。
【０１４４】
さらに上述した実施の形態においては、上流側搬送ガイドとしての搬送ガイド４０又は画像読取部３２と、下流側搬送ガイドとしての画像読取部３２又は搬送ガイド４０と、弾性部材としてのブラシ部４８とによって、搬送ガイド連結部としてのガイド隣接部９０を構成し、上流側搬送ガイドとしての搬送ガイド５２Ｄ又は磁気文字読取部ヘッド３１と、下流側搬送ガイドとしての磁気文字読取部ヘッド３１又は搬送ガイド５２Ｄと、弾性部材としてのブラシ部５８とによって、搬送ガイド連結部としてのガイド隣接部９１を構成し、上流側搬送ガイドとしての搬送ガイド７０Ｄｆ又は搬送ガイド７０Ｄｂと、下流側搬送ガイドとしての搬送ガイド７０Ｄｂ又は搬送ガイド７０Ｄｆと、弾性部材としてのブラシ部８６とによって、搬送ガイド連結部としての搬送ガイド連結部６８を構成し、上流側搬送ガイドとしての搬送ガイド１７０Ｄｆ又は搬送ガイド１７０Ｄｂと、下流側搬送ガイドとしての搬送ガイド１７０Ｄｂ又は搬送ガイド１７０Ｄｆと、弾性部材としてのブラシ部１８６又はブラシ部２８６とによって、搬送ガイド連結部としての搬送ガイド連結部１６８又は搬送ガイド連結部２６８を構成する場合について述べた。しかしながら本発明はこれに限らず、その他種々の構成でなる上流側搬送ガイドと、下流側搬送ガイドと、弾性部材とによって、搬送ガイド連結部を構成しても良い。
【産業上の利用可能性】
【０１４５】
本発明は、例えば搬送ガイドが隙間を空けて連結する連結部でも利用できる。
【符号の説明】
【０１４６】
１、１０１、２０１……小切手処理装置、２……筐体、３……制御部、１１……バンドル部、１１Ｓ……シャッタ、１２……分離部、１３……アライナ部、１４……第１切替部、１５……スキャナ部、１６……第２切替部、１７……エスクロ部、１８……リトラクト部、１９……後中搬送部、２０……第３切替部、２１……後下搬送部、２２Ａ……第１スタッカ部、２２Ｂ……第２スタッカ部、２３……下搬送部、２６……ヘッド搬送ガイド、２６ｆ、２６ｂ……ガイド角部、２６ｆＳ、２６ｂＳ……ガイド角部面、２８……磁気文字読取部トリガセンサ、３０……磁気文字読取部、３１……磁気文字読取部ヘッド、３２……画像読取部、３２Ｒ……裏面画像読取部、３２Ｓ……表面画像読取部、３４……取引情報印字部、３５……スタンプ、３６……プリンタ、４０……搬送ガイド、４０Ｕ……搬送ガイド、４０Ｕ、４０Ｄ……搬送ガイド、４０ＵＳ、４０ＤＳ……搬送ガイド面、４０Ｕｆ、４０Ｕｂ、４０Ｄｆ、４０Ｄｂ……搬送ガイド、４０ＵｆＳ、４０ＵｂＳ、４０ＤｆＳ、４０ＤｂＳ……搬送ガイド面、４２Ｕ、４２Ｄ……ガイド隙間、４２Ｕｆ、４２Ｕｂ、４２Ｄｆ、４２Ｄｂ……ガイド隙間、４３Ｕｆ、４３Ｕｂ、４３Ｄｆ、４３Ｄｂ……小切手対向部、４４Ｕｆ、４４Ｕｂ、４４Ｄｆ、４４Ｄｂ……読取部対向部、４４ＵｆＳ、４４ＵｂＳ、４４ＤｆＳ、４４ＤｂＳ……読取部対向面、４５Ｒ……裏面画像読取部搬送路対向部、４５Ｓ……表面画像読取部搬送路対向部、４６Ｓ……画像読取部角部面、４６ＲｆＳ、４６ＲｂＳ……裏面画像読取部角部面、４６ＳｆＳ、４６ＳｂＳ……表面画像読取部角部面、４７Ｕｆ、４７Ｕｂ、４７Ｄｆ、４７Ｄｂ……ガイド角部、４７Ｓ……ガイド角部面、４７ＵｆＳ、４７ＵｂＳ、４７ＤｆＳ、４７ＤｂＳ……ガイド角部面、４８……ブラシ部、４８Ｕｆ、４８Ｕｂ、４８Ｄｆ、４８Ｄｂ……ブラシ部、４９……固定部、５０……ブラシ、５２……搬送ガイド、５２Ｕ、５２Ｄ……搬送ガイド、５２ＵＳ、５２ＤＳ……搬送ガイド面、５２Ｕｆ、５２Ｕｂ、５２Ｄｆ、５２Ｄｂ……搬送ガイド、５２ＵｆＳ、５２ＵｂＳ、５２ＤｆＳ、５２ＤｂＳ……搬送ガイド面、５４Ｕ、５４Ｄ……ガイド隙間、５５Ｄｆ、５５Ｄｂ……小切手対向部、５６Ｄｆ、５６Ｄｂ……読取部対向部、５６ＤｆＳ、５６ＤｂＳ……読取部対向面、５７Ｄｆ、５７Ｄｂ……ガイド角部、５７ＤｆＳ、５７ＤｂＳ……ガイド角部面、５８……ブラシ部、５８Ｄｆ、５８Ｄｂ……ブラシ部、５９……固定部、６０……ブラシ、６２……圧縮ばね、６４……プラテンローラ、６６……搬送基準面、６８、１６８、２６８、３６８……搬送ガイド連結部、７０、１７０……搬送ガイド、７０Ｕ……搬送ガイド、７０Ｄ、１７０Ｄ……搬送ガイド、７０ＵＳ、７０ＤＳ……搬送ガイド面、７０Ｄｆ、１７０Ｄｆ、７０Ｄｂ、１７０Ｄｂ……搬送ガイド、７０ＤｆＳ、７０ＤｂＳ……搬送ガイド面、７２Ｄ……ガイド隙間、７４、１７４……可動側爪部、７５、１７５……固定側爪部、７６、１７６……可動側爪、７６Ｓ……可動側爪面、７７……可動側迎え爪、７７Ｓ……可動側迎え爪面、７８、１７８……可動側爪凹部、７９……可動側爪部先端面、８０、１８０……固定側爪、８０Ｓ……固定側爪面、８１……固定側迎え爪、８１Ｓ……固定側迎え爪面、８２、１８２……固定側爪凹部、８３……固定側爪部先端面、８６、１８６、２８６……ブラシ部、８７……固定部、８８、１８８ｆ、１８８ｂ、２８８ｆ、２８８ｂ……ブラシ、９０、９１……ガイド隣接部、９１ｆ、９１ｂ……搬送ガイド、９２ｆ、９２ｂ……爪、９３ｆ、９３ｂ……爪部、９４……ガイド隙間、ＷＢ……束搬送路、Ｗ……搬送路、Ｗ１……第１搬送路、Ｗ２……第２搬送路、Ｗ３……第３搬送路、Ｗ４……第４搬送路、Ｗ５……第５搬送路、Ｗｓ……スキャナ部搬送路、Ｗｓｃ……スキャナ部搬送路中央、Ｗｃ……搬送路中央、ＭＩＣＲ……磁気文字、ＭＳ……磁気文字側長辺、ＭＳｏ……磁気文字対向長辺、Ｌ１……磁気文字距離、Ｌ２……長辺長さ、Ｌ３……短辺長さ、Ｌ４……ヘッド磁気文字間距離、Ｌ５……噛合搬送距離。
【図１】
2018162152.tif 000003
【図２】
2018162152.tif 000004
【図３】
2018162152.tif 000005
【図４】
2018162152.tif 000006
【図５】
2018162152.tif 000007
【図６】
2018162152.tif 000008
【図７】
2018162152.tif 000009
【図８】
2018162152.tif 000010
【図９】
2018162152.tif 000011